(57)【要約】【課題】異なるタイプの基地局を収容するためのコストを低減することができる。【解決手段】ベースバンドユニットと、ベースバンドユニットと光回線を介して第１伝送方式で通信する第１無線ユニットと、第１伝送方式と異なる第２伝送方式で第１無線ユニットと通信する第２無線ユニットとを具備する基地局装置であって、ベースバンドユニットは、第２伝送方式のトラフィックを第１伝送方式の信号に多重して伝送する伝送手段を具備し、第１無線ユニットは、第１伝送方式の信号に多重された第２伝送方式のトラフィックを第２無線ユニットに分配する分配手段と、第２無線ユニットからのトラフィックを第１伝送方式の信号に多重する多重手段とを具備する。【選択図】      図１
2011244096.tif 000002
【特許請求の範囲】
【請求項１】
ベースバンドユニットと、前記ベースバンドユニットと光回線を介して第１伝送方式で通信する第１無線ユニットと、前記第１伝送方式と異なる第２伝送方式で前記第１無線ユニットと通信する第２無線ユニットとを具備する基地局装置であって、
前記ベースバンドユニットは、
前記第２伝送方式のトラフィックを前記第１伝送方式の信号に多重して伝送する伝送手段を具備し、
前記第１無線ユニットは、
前記第１伝送方式の信号に多重された前記第２伝送方式のトラフィックを前記第２無線ユニットに分配する分配手段と、
前記第２無線ユニットからのトラフィックを前記第１伝送方式の信号に多重する多重手段と
を具備することを特徴とする基地局装置。
【請求項２】
前記第１伝送方式は、ＣＰＲＩ（Common Public Radio Interface）であることを特徴とする請求項１記載の基地局装置。
【請求項３】
前記第２伝送方式は、ＩＰ（Internet Protocol）であることを特徴とする請求項１記載の基地局装置。
【請求項４】
前記第２伝送方式は、ＩＳＤＮ（Integrated Services Digital Network）であるとき、前記第１無線ユニットと前記第２無線ユニットとの間にＩＰとＩＳＤＮとを相互に変換する変換手段をさらに具備することを特徴とする請求項１記載の基地局装置。
【請求項５】
前記伝送手段は、前記第１伝送方式の信号にさらにクロック信号を多重し、
前記分配手段は、前記第１伝送方式の信号に多重された前記クロック信号を前記第２無線ユニットに分配することをさらに特徴とする請求項１記載の基地局装置。
【請求項６】
ベースバンドユニットと、前記ベースバンドユニットと光回線を介して第１伝送方式で通信する第１無線ユニットと、前記第１伝送方式と異なる第２伝送方式で前記第１無線ユニットと通信する第２無線ユニットとを具備する基地局装置に用いられる通信方法であって、
前記ベースバンドユニットにおいて、
前記第２伝送方式のトラフィックを前記第１伝送方式の信号に多重して伝送し、
前記第１無線ユニットにおいて、
前記第１伝送方式の信号に多重された前記第２伝送方式のトラフィックを前記第２無線ユニットに分配し、
前記第２無線ユニットからのトラフィックを前記第１伝送方式の信号に多重することを有することを特徴とする通信方法。
【請求項７】
前記第１伝送方式は、ＣＰＲＩ（Common Public Radio Interface）であることを特徴とする請求項６記載の通信方法。
【請求項８】
前記第２伝送方式は、ＩＰ（Internet Protocol）であることを特徴とする請求項６記載の通信方法。
【請求項９】
前記第２伝送方式は、ＩＳＤＮ（Integrated Services Digital Network）であるとき、前記第１無線ユニットと前記第２無線ユニットとの間でＩＰとＩＳＤＮとを相互に変換することをさらに特徴とする請求項６記載の通信方法。
【請求項１０】
前記ベースバンドユニットにおいて、前記第１伝送方式の信号にさらにクロック信号を多重し、
前記第１無線ユニットにおいて、前記第１伝送方式の信号に多重された前記クロック信号を前記第２無線ユニットに分配することをさらに特徴とする請求項６記載の通信方法。
【発明の詳細な説明】
【技術分野】
【０００１】
本発明の実施形態は、ベースバンドユニットと無線ユニットとが分離された基地局装置及び通信方法に関する。
【背景技術】
【０００２】
ＸＧＰ（eXtended Global Platform）やＬＴＥ（Long Term Evolution）などワイヤレスブロードバンド技術が発展する中、益々通信の高速化や高機能化、多機能化が進んでいる。一方、既存の通信方式（ＰＨＳや第３世代携帯）は並行して運用されており、通信事業者は新旧両方のインフラを保持する必要がある。その運用コストの１つとして、基地局と局舎間の回線が挙げられる。既存の基地局（例えば、ＩＰ化基地局やＩＳＤＮ基地局）の設置場所に新たに次世代の基地局（例えば、ＸＧＰ基地局）を併設する場合、追加で回線を増設する必要がある為、追加の運用コスト（回線コスト）や機器コストが掛ってしまう問題がある。
【先行技術文献】
【特許文献】
【０００３】
【特許文献１】特開２００９−１７１３７３号公報
【特許文献２】特開平５−１２２１３５号公報
【発明の概要】
【発明が解決しようとする課題】
【０００４】
上述したように、従来、基地局設置に関するマイグレーションにおいては、基地局タイプによって使用する回線の物理媒体や伝送方式が異なっていた。その場合、異なるタイプの基地局では、異なる回線、伝送方式でネットワークを構築する必要があった。このように、それぞれの基地局タイプに合わせて回線を使用した場合、運用コスト（回線コスト）やその回線を収容する為の機器コストが掛ってしまうという課題があった。
【０００５】
本実施形態の目的は、異なるタイプの基地局を収容するためのコストを低減することができる基地局装置及び通信方法を提供することにある。
【課題を解決するための手段】
【０００６】
本実施形態に係る基地局装置は、ベースバンドユニットと、前記ベースバンドユニットと光回線を介して第１伝送方式で通信する第１無線ユニットと、前記第１伝送方式と異なる第２伝送方式で前記第１無線ユニットと通信する第２無線ユニットとを具備する基地局装置であって、前記ベースバンドユニットは、前記第２伝送方式のトラフィックを前記第１伝送方式の信号に多重して伝送する伝送手段を具備し、前記第１無線ユニットは、前記第１伝送方式の信号に多重された前記第２伝送方式のトラフィックを前記第２無線ユニットに分配する分配手段と、前記第２無線ユニットからのトラフィックを前記第１伝送方式の信号に多重する多重手段とを具備することを特徴とする。
【０００７】
本実施形態に係る通信方法は、ベースバンドユニットと、前記ベースバンドユニットと光回線を介して第１伝送方式で通信する第１無線ユニットと、前記第１伝送方式と異なる第２伝送方式で前記第１無線ユニットと通信する第２無線ユニットとを具備する基地局装置に用いられる通信方法であって、前記ベースバンドユニットにおいて、前記第２伝送方式のトラフィックを前記第１伝送方式の信号に多重して伝送し、前記第１無線ユニットにおいて、前記第１伝送方式の信号に多重された前記第２伝送方式のトラフィックを前記第２無線ユニットに分配し、前記第２無線ユニットからのトラフィックを前記第１伝送方式の信号に多重することを有することを特徴とする。
【図面の簡単な説明】
【０００８】
【図１】本実施形態に係る基地局装置を示す図である。
【図２】基地局装置の構成を示すブロック図である。
【図３】ＩＰ化基地局への伝送動作を示す図である。
【図４】ＩＳＤＮ基地局への伝送動作を示す図である。
【図５】従来の基地局装置を示す図である。
【発明を実施するための形態】
【０００９】
以下、図面を参照しながら本実施形態に係る基地局装置及び通信方法を説明する。
【００１０】
図1は本実施形態に係る基地局装置の全体構成を示した図である。
【００１１】
局舎にはＩＰ中継交換機に収容されたベースバンドユニット（ＢＢＵ；Base Band Unit）１が設置され、ビルの屋上などの屋外装置設置場所には、ＸＧＰ基地局（ＲＲＵ；Remote Radio Unit）２１と、ＩＰ化基地局（携帯電話基地局）２２と、ＩＳＤＮ基地局（ＰＨＳ基地局）２３とが設置されている。
【００１２】
ＢＢＵ１１とＸＧＰ基地局（ＲＲＵ；Remote Radio Unit）２１との間は光ファイバで接続され、この間の伝送方式にはＣＰＲＩ（Common Public Radio Interface）が採用される。ＲＲＵ２１にはＣＰＲＩインタフェース用のＤＩＵ（Digital Interface Unit）２１１が実装されており、他のＩＰ化基地局２２やＩＳＤＮ基地局２３に対してイーサネット（登録商標）のインタフェースを提供する。
【００１３】
ＩＰ化基地局２２には、イーサネットインタフェース２２１が実装されており、ＤＩＵ２１１と接続される。また、ＩＳＤＮ基地局２３にはＩＳＤＮ信号を終端するＩＳＤＮ−ＤＳＵ２３１が実装されており、その手前に、ＣＥＳ−ＲＴ（Circuit Emulation Service - Remote Terminal）２４が設置される。ＢＢＵ１１のＩＰ中継交換機には、ＩＳＤＮ網と接続するためのメタル回線終端装置（ＩＮＴＵ）１２が設けられている。
【００１４】
図２は、ＲＲＵ２１の構成を示すブロック図である。ＲＲＵ２１は、ＤＩＵ２１１と、ＸＧＰによる無線通信を行うための高周波増幅器２１２、低雑音増幅器２１３、送信フィルタ２１４、受信フィルタ２１５及びアンテナ２１６とを備える。ＤＩＵ２１１は、光／電気、電気／光変換器２０１、ＣＰＲＩ処理部２０２、Ｄ／Ａ変換器２０３、Ａ／Ｄ変換器２０４、ＰＬＬタイミング発生器２０５及びスイッチ２０６を備える。
【００１５】
ＢＢＵ１１からＣＰＲＩプロトコルで送られてきた信号は、光／電気変換器２０１を通り電気信号に変換される。電気信号に変換された信号は、Ｌ２（データリンク層）またはＬ３（ネットワーク層）のスイッチ２０６によりＩＱデータ（ＸＧＰトラフィック）とイーサネットデータ（ＩＰ化基地局２２またはＩＳＤＮ基地局２３）とに分配される。また、クロックはＣＰＲＩプロトコルのＳＹＮＣフレームを利用し、ＰＬＬタイミング発生器２０５によりネットワークに同期した信号をＩＰ化基地局２２またはＩＳＤＮ基地局２３に分配する。
【００１６】
一方、ＲＲＵ２１には、スイッチ２０６を介してＩＰ化基地局２２またはＩＳＤＮ基地局２３からのイーサネットデータが入力される。ＣＰＲＩ処理部２０２は、入力されたイーサネットデータを、ＣＰＲＩプロトコルのイーサネット通信領域に多重する。イーサネットデータとＸＧＰトラフィックとが多重化されたＣＰＲＩ信号は、電気／光変換器２０１を通り光信号に変換されたのちＢＢＵ１１に送信される。
【００１７】
このように構成された基地局装置について、各部の接続関係及び作用を各実施例にしたがって説明する。
【００１８】
（実施例１）  
図３において、ＢＢＵ１１とＲＲＵ２１は、物理媒体を光ファイバとしＣＰＲＩで接続される。ＢＢＵ１１とＲＲＵ２１との間は、ＣＰＲＩ上のＩＱデータ領域を利用してＸＧＰトラフィックを、イーサネット通信領域を利用してＩＰ化基地局２２のトラフィックを多重して伝送する。多重化された信号は、ＢＢＵ１１とＲＲＵ２１にてＸＧＰとＩＰ化基地局２２のトラフィックをルータまたはスイッチによりＬ２またはＬ３のレベルで分配される。また、ＲＲＵ２１は、ＢＢＵ１１からＣＰＲＩを経由して受信したネットワークの基準クロックをＩＰ化基地局２２の基準クロックとして提供する。
【００１９】
このように、ＸＧＰ基地局２１とＩＰ化基地局２２のトラフィックをＣＰＲＩを利用して共用することで、局舎と基地局との間を光ファイバの回線一つに集約することが可能となる。また、従来ＢＢＵ１１とＩＰ化基地局２２との接続に使用していた光回線終端装置（ＯＬＴやＯＮＵ）は不要となる。
【００２０】
（実施例２）  
図４において、ＢＢＵ１１とＲＲＵ２１は、物理媒体を光ファイバとしＣＰＲＩで接続される。ＢＢＵ１１とＲＲＵ２１との間は、ＣＰＲＩ上のＩＱデータ領域を利用してＸＧＰトラフィックを、イーサネット通信領域を利用してＩＳＤＮ基地局２３のトラフィックを多重してＲＲＵ２１へ伝送する。多重化された信号は、ＲＲＵ２１にてＸＧＰとＩＳＤＮ基地局２３のトラフィックをＬ２またはＬ３レベルで分配される。ＣＥＳ−ＲＴ２４は、ＲＲＵ２１からのイーサネット信号をＩＳＤＮ信号に変換しＩＳＤＮ基地局２３へ伝送する。ＣＥＳ技術を採用することでクロックもＩＰ網を利用して伝送できる。
【００２１】
このように、ＸＧＰとＩＳＤＮ基地局２３のトラフィックをＣＰＲＩを利用して共用することで、局舎と基地局との間を光ファイバの回線一つに集約することが可能となる。
【００２２】
図５に従来の基地局装置の例を示す。このように、各基地局（ＩＳＤＮ基地局（ＰＨＳ基地局）、ＩＰ化基地局（携帯電話基地局）、ＸＧＰ基地局（ＲＲＵ）に対して、それぞれメタル（ＩＳＤＮ）、光ファイバ（ＰＯＮ）、光ファイバ（ＣＰＲＩ）が引かれているため、回線ごとに運用コストが発生する。また、回線を接続するインタフェース装置についても、それぞれ異なるため、機器コストの増大も課題となっていた。
【００２３】
これに対し、上記図１に示すように、本実施形態では、ＸＧＰとＩＰ化基地局２２及びＩＳＤＮ基地局２３のトラフィックをＣＰＲＩを利用して共用することで、局舎と基地局との間を光ファイバ（ＣＰＲＩ）の回線一つに集約することが可能となる。また、従来使用していた光回線終端装置（ＯＬＴやＯＮＵ）は不要となるため機器コストが低減できる。
【００２４】
なお、本発明は上記実施形態そのままに限定されるものではなく、実施段階ではその要旨を逸脱しない範囲で構成要素を変形して具体化できる。例えば、上記実施形態では、ＸＧＰ基地局について説明したが、ＬＴＥ基地局やＷｉＭＡＸ基地局等にも適用することができる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００２５】
１１…ベースバンドユニット（ＢＢＵ）、１２…ＩＮＴＵ、２１…ＸＧＰ基地局（ＲＲＵ）、２１１…ＤＩＵ、２２…ＩＰ化基地局、２２１…イーサネットインタフェース、２３…ＩＳＤＮ基地局、２３１…ＩＳＤＮ−ＤＳＵ、２４…ＣＥＳ−ＲＴ、２０１…光／電気、電気／光変換器、２０２…ＣＰＲＩ処理部、２０３…Ｄ／Ａ変換器、２０４…Ａ／Ｄ変換器、２０５…ＰＬＬタイミング発生器、２０６…スイッチ、２１２…高周波増幅器、２１３…低雑音増幅器、２１４…送信フィルタ、２１５…受信フィルタ、２１６…アンテナ。
【図１】
2011244096.tif 000003
【図２】
2011244096.tif 000004
【図３】
2011244096.tif 000005
【図４】
2011244096.tif 000006
【図５】
2011244096.tif 000007